(57)【要約】【課題】簡単な操作でかつ短時間で施工できるとともに、構造が簡単で低コストである太陽電池パネル取付装置を提供する。【解決手段】各山部１４の上部に形成され折板屋根材と屋根構造材とを連結する山部連結部であって、山部１４本体から山幅を狭める方向にくびれるくびれ部２８と、くびれ部２８から山幅を拡大する方向に膨出する膨出部３０と、を連続接続して山部１４の両側に備えた山部連結部１６と、太陽電池パネル１８の支持フレーム２０と、支持フレーム２０に設けられ対向する山部１４の山部連結部１６に同時に係合しつつ太陽電池パネル１８の上方から下方への押圧操作のみで山部連結部１６を側方に押し付けるように弾発付勢しつつ山部連結部に嵌合する複数の弾発嵌合部２２と、を備えたことを特徴とする太陽電池パネル取付装置１０から構成される。【選択図】図１
2011032646.tif 000002
【特許請求の範囲】
【請求項１】
山部と谷部を交互に繰返し形成した折板屋根上に太陽電池パネルを取り付ける取付装置であり、
各山部の上部に形成され折板屋根材と屋根構造材とを連結する山部連結部であって、山部本体から山幅を狭める方向にくびれるくびれ部と、くびれ部から山幅を拡大する方向に膨出する膨出部と、を連続接続して山部の両側に備えた山部連結部と、
太陽電池パネルの支持フレームと、
支持フレームに設けられ対向する山部の山部連結部に同時に係合しつつ太陽電池パネルの上方から下方への押圧操作のみで山部連結部を側方に押し付けるように弾発付勢しつつ山部連結部に嵌合する複数の弾発嵌合部と、を備えたことを特徴とする太陽電池パネル取付装置。
【請求項２】
弾発嵌合部は、太陽電池パネルの支持フレームへの固定部と、山部連結部の膨出部とくびれ部とに弾発的に嵌合する側面視凹凸部と、を一体的に形成した弾発嵌合体からなる請求項１記載の太陽電池パネル取付装置。
【請求項３】
山部連結部の膨出部とくびれ部は曲線凹凸状に連続形成され、弾発嵌合部はこれに対応した側面視曲線凹凸部を有し、全体を一体成形した板状金具からなる請求項１または２記載の太陽電池パネル取付装置。
【請求項４】
弾発嵌合部は太陽電池パネルの支持フレームに密着固定する固定板部と、固定板部の一端から直角状に曲折して連接された脚板部と、脚板部に接続する側面視凹凸部と、を一体に成形した板状金具からなる請求項１ないし３のいずれかに記載の太陽電池パネル取付装置。
【請求項５】
固定板部と脚板部との曲折部での直角内側を対向させるように太陽電池パネルの支持フレームに板状金具が固定されていることを特徴とする請求項４記載の太陽電池パネル取付装置。
【請求項６】
折板屋根部材の山部連結部に側方への弾発付勢力を付加し得る複数の弾発嵌合部材を含む弾発嵌合部を太陽電池パネルの支持フレームに取り付け、
太陽電池パネルの上方から下方への押圧操作のみで山部連結部を側方に押し付けるように弾発付勢しつつ山部連結部に複数の弾発嵌合部を嵌合させて太陽電池パネルを折板屋根材に固定させることを特徴とする太陽電池パネル取付方法。
【請求項７】
太陽電池パネルの支持フレームに複数個固定され、
対向する１対の山部間に太陽電池パネルを架設状に配置させた状態で、太陽電池パネルを折板屋根の上方側から下方へ向けて押圧操作することにより折板屋根の山部連結部に弾発的に嵌合される弾発係合部として機能する太陽電池パネル取付金具であり、
該金具は、太陽電池パネルの支持フレームに密着固定する固定板部と、固定板部の一端から直角状に曲折して連接された脚板部と、脚板部に接続する側面視凹凸部と、を一体に成形してなる太陽電池パネル取付金具。
【発明の詳細な説明】
【技術分野】
【０００１】
本発明は、折板屋根に太陽電池パネルを取り付けるための太陽電池パネル取付装置及び取付方法、並びに取付金具に関する。
【背景技術】
【０００２】
環境負荷が小さいクリーンエネルギーの利用及び開発が勧められており、その一つとして、家屋や工場、公共施設等の屋根や屋上に太陽電池パネルが設置されている。従来、太陽電池パネルの屋根への取付工事は、屋根にボルトで固定した架台に太陽電池パネルを取り付けていた。しかし、架台の部材コストが比較的高いとともに架台の屋根への取付作業が煩雑かつ重労働で施工時間及び施工コストがかかったり、屋根に架台取付用のボルト通す孔を設けることで雨漏りが生じるおそれがあったり、架台が鉄骨等の重量部材からなるので屋根の補強が必要な場合がある等の問題があった。例えば、屋根にボルト孔を設けずに太陽光パネルを設置する技術が提案されており、特許文献１に開示されている。特許文献１に記載の取付金具は、折板屋根のハゼ部を挟持するハゼつかみ部と、太陽電池パネルの外枠を取付金具に固着させる抑え部と、から構成されている。特許文献１添付図面図４に示すように、ハゼつかみ部は、上部のベース部に連接された一対のフィンガー部を有しており、一対のフィンガー部にはボルトが横向きに通され、このボルトにフィンガー部の外側からナットが螺合されている。そして、ボルト・ナットを締結してフィンガー部を相互に接近させることで折板屋根のハゼ部をつかんで取付金具を折板屋根に固定させ、取付金具上に抑え部を介して太陽電池パネルを固定させるものであった。
【先行技術文献】
【特許文献】
【０００３】
【特許文献１】特開２００４−２０４５１２号公報
【発明の概要】
【発明が解決しようとする課題】
【０００４】
しかしながら、特許文献１記載の取付金具では、部品点数が多く高コストとなると同時に、取付金具を取り付ける際にはボルト・ナット締結を行う必要があるので、スパナ等の工具が必要であるうえ、作業が面倒で施工性が悪く、労力がかかるとともに施工時間も長時間かかる等の問題があった。さらに、ハゼ部に対する取付金具の取付位置を調整する場合にも、いちいちボルト・ナットを緩めたり締めたりする必要があり煩雑であった。特に、工場等のように大きな電力を得るために多数の太陽電池パネルを配置する場合には、多数の取付金具を取り付ける必要があるので大きな労力及び時間がかかっていた。
【０００５】
本発明は上記従来の課題に鑑みてなされたものであり、その一つの目的は、簡単な操作でかつ短時間で太陽電池パネルを折板屋根に取り付けることができるとともに、構造が簡単で低コストである太陽電池パネル取付装置及び取付方法、並びに取付金具を提供することにある。
【課題を解決するための手段】
【０００６】
上記課題を解決するために本発明は、山部１４と谷部１５を交互に繰返し形成した折板屋根１２、１２ａ、１２ｂ上に太陽電池パネル１８を取り付ける取付装置であり、各山部１４の上部に形成され折板屋根材と屋根構造材とを連結する山部連結部であって、山部１４本体から山幅を狭める方向にくびれるくびれ部２８と、くびれ部２８から山幅を拡大する方向に膨出する膨出部３０と、を連続接続して山部１４の両側に備えた山部連結部１６、１６ａ、１６ｂと、太陽電池パネル１８の支持フレーム２０と、支持フレーム２０に設けられ対向する山部１４の山部連結部１６、１６ａ、１６ｂに同時に係合しつつ太陽電池パネル１８の上方から下方への押圧操作のみで山部連結部１６、１６ａ、１６ｂを側方に押し付けるように弾発付勢しつつ山部連結部に嵌合する複数の弾発嵌合部２２と、を備えたことを特徴とする太陽電池パネル取付装置１０から構成される。
【０００７】
また、弾発嵌合部２２は、太陽電池パネルの支持フレームへの固定部（３２）と、山部連結部１６、１６ａ、１６ｂの膨出部３０とくびれ部２８とに弾発的に嵌合する側面視凹凸部（３６）と、を一体的に形成した弾発嵌合体からなることとしてもよい。
【０００８】
また、山部連結部１６、１６ａ、１６ｂの膨出部３０とくびれ部２８は曲線凹凸状に連続形成され、弾発嵌合部２２はこれに対応した側面視曲線凹凸部（３６）を有し、全体を一体成形した板状金具（４０、４０ａ、４０ｂ、４０ｃ）からなることとしてもよい。
【０００９】
また、弾発嵌合部２２は太陽電池パネル１８の支持フレーム２０に密着固定する固定板部３２と、固定板部３２の一端から直角状に曲折して連接された脚板部３４と、脚板部３４に接続する側面視凹凸部３６と、を一体に成形した板状金具４０、４０ａ、４０ｂ、４０ｃからなることとしてもよい。
【００１０】
また、固定板部３２と脚板部３４との曲折部Ｒでの直角内側を対向させるように太陽電池パネル１８の支持フレーム２０に板状金具（４０、４０ａ、４０ｂ、４０ｃ）が固定されていることとしてもよい。
【００１１】
さらに、本発明は、折板屋根部材の山部連結部１６、１６ａ、１６ｂに側方への弾発付勢力を付加し得る複数の弾発嵌合部材を含む弾発嵌合部２２を太陽電池パネル１８の支持フレーム２０に取り付け、太陽電池パネル１８の上方から下方への押圧操作のみで山部連結部１６、１６ａ、１６ｂを側方に押し付けるように弾発付勢しつつ山部連結部１６、１６ａ、１６ｂに複数の弾発嵌合部２２を嵌合させて太陽電池パネル１８を折板屋根材に固定させることを特徴とする太陽電池パネル取付方法から構成される。
【００１２】
さらに、本発明は、太陽電池パネル１８の支持フレーム２０に複数個固定され、対向する１対の山部１４間に太陽電池パネル１８を架設状に配置させた状態で、太陽電池パネル１８を折板屋根の上方側から下方へ向けて押圧操作することにより折板屋根の山部連結部１６、１６ａ、１６ｂに弾発的に嵌合される弾発係合部２２として機能する太陽電池パネル取付金具４０、４０ａ、４０ｂ、４０ｃであり、該金具４０、４０ａ、４０ｂ、４０ｃは、太陽電池パネルの支持フレームに密着固定する固定板部３２と、固定板部３２の一端から直角状に曲折して連接された脚板部３４と、脚板部３４に接続する側面視凹凸部３６と、を一体に成形してなる太陽電池パネル取付金具４０、４０ａ、４０ｂ、４０ｃから構成される。
【発明の効果】
【００１３】
本発明の太陽電池パネル取付装置によれば、山部と谷部を交互に繰返し形成した折板屋根上に太陽電池パネルを取り付ける取付装置であり、各山部の上部に形成され折板屋根材と屋根構造材とを連結する山部連結部であって、山部本体から山幅を狭める方向にくびれるくびれ部と、くびれ部から山幅を拡大する方向に膨出する膨出部と、を連続接続して山部の両側に備えた山部連結部と、太陽電池パネルの支持フレームと、支持フレームに設けられ対向する山部の山部連結部に同時に係合しつつ太陽電池パネルの上方から下方への押圧操作のみで山部連結部を側方に押し付けるように弾発付勢しつつ山部連結部に嵌合する複数の弾発嵌合部と、を備えたことから、弾発嵌合部を支持フレームに設けた太陽電池パネルを折板屋根側に向けて押圧操作するだけで簡単、低労力かつ短時間で太陽電池パネルを折板屋根に取り付けることができ、施工性を向上できる。さらに、構造が簡単であり、低コストで製造できる。また、折板屋根に孔等を設けずに取り付けできるので雨漏りのおそれもない。
【００１４】
また、弾発嵌合部は、太陽電池パネルの支持フレームへの固定部と、山部連結部の膨出部とくびれ部とに弾発的に嵌合する側面視凹凸部と、を一体的に形成した弾発嵌合体からなる構成とすることにより、弾発嵌合部を具体的に実現できる。さらに、取付状態では、山部連結部の膨出部とくびれ部とによる凹凸形状と側面視凹凸部との弾発的な嵌合により、簡単に離脱しにくく太陽電池パネルを折板屋根に強固に取り付けることができる。
【００１５】
また、山部連結部の膨出部とくびれ部は曲線凹凸状に連続形成され、弾発嵌合部はこれに対応した側面視曲線凹凸部を有し、全体を一体成形した板状金具からなる構成とすることにより、山部連結部と弾発嵌合部が互いに曲線凹凸形状で形成されるので太陽電池パネルを押圧操作した際には弾発嵌合部を山部連結部へスムーズに弾発嵌合させることができるとともに、取り付けた状態では簡単に離脱しにくい。さらに、弾発嵌合部を簡単な構造で低コストで製造できる。また、嵩張りにくく同時に複数個を持ち運びしやすいとともに、保管管理も簡単に行える。
【００１６】
また、弾発嵌合部は太陽電池パネルの支持フレームに密着固定する固定板部と、固定板部の一端から直角状に曲折して連接された脚板部と、脚板部に接続する側面視凹凸部と、を一体に成形した板状金具からなる構成とすることにより、金属板等を材料として加工して、弾発嵌合部を簡単な構造で低コストで製造できる。また、嵩張りにくく同時に複数個を持ち運びしやすいとともに、保管管理も簡単に行える。
【００１７】
また、固定板部と脚板部との曲折部での直角内側を対向させるように太陽電池パネルの支持フレームに板状金具が固定されている構成とすることにより、複数の太陽電池パネルを取り付ける際に、複数の太陽電池パネルを配置する際に隣接する太陽電池パネルに設けた弾発嵌合部どうしが干渉することないので、太陽電池パネルどうしを密接した状態で配置させることができる結果、範囲が限られる構造物の屋根上に複数の太陽電池パネルを効率良く並べて好適な太陽電池アレイを構成することができる。
【００１８】
さらに、本発明の太陽電池パネル取付方法によれば、折板屋根部材の山部連結部に側方への弾発付勢力を付加し得る複数の弾発嵌合部材を含む弾発嵌合部を太陽電池パネルの支持フレームに取り付け、太陽電池パネルの上方から下方への押圧操作のみで山部連結部を側方に押し付けるように弾発付勢しつつ山部連結部に複数の弾発嵌合部を嵌合させて太陽電池パネルを折板屋根材に固定させることから、太陽電池パネルを折板屋根上に位置合わせして押圧操作するだけで簡単、低労力、短時間で太陽電池パネルを折板屋根に取り付けることができ、施工性を向上できる。
【００１９】
さらに、本発明の太陽電池パネル取付金具によれば、太陽電池パネルの支持フレームに複数個固定され、対向する１対の山部間に太陽電池パネルを架設状に配置させた状態で、太陽電池パネルを折板屋根の上方側から下方へ向けて押圧操作することにより折板屋根の山部連結部に弾発的に嵌合される弾発係合部として機能する太陽電池パネル取付金具であり、該金具は、太陽電池パネルの支持フレームに密着固定する固定板部と、固定板部の一端から直角状に曲折して連接された脚板部と、脚板部に接続する側面視凹凸部と、を一体に成形してなるから、取付金具を太陽電池パネルの支持フレームに固定し、太陽電池パネルを位置合わせして折板屋根側へ向けて押圧操作するだけで簡単、低労力、短時間で太陽電池パネルを折板屋根に取り付けることができ、施工性を向上できる。さらに、取付金具自体の構造も簡単であり、低コストで製造できる。また、金具は嵩張りにくく同時に複数個を持ち運びしやすいとともに、保管管理も楽に行える。
【図面の簡単な説明】
【００２０】
【図１】本発明の第１の実施形態に係る太陽電池パネル取付装置、取付金具の概略説明図である。
【図２】図１の太陽電池パネル取付装置、取付金具及び取付方法の斜視説明図である。
【図３】図１の太陽電池パネル取付金具の拡大斜視図である。
【図４】図３の太陽電池パネル取付金具の側面図である。
【図５】図１の太陽電池パネル取付装置及び取付方法、並びに取付金具の要部を拡大した概略説明図及び複数の太陽電池パネルを取り付ける際の作用説明図である。
【図６】本発明の第２の実施形態に係る太陽電池パネル取付装置、取付金具の概略説明図である。
【図７】図６の太陽電池パネル取付装置、取付金具の要部拡大した概略説明図である。
【図８】図６の太陽電池パネル取付金具の拡大斜視図である。
【図９】図８の太陽電池パネル取付金具の側面図である。
【図１０】本発明の第３の実施形態に係る太陽電池パネル取付装置、取付金具の概略説明図である。
【図１１】図１０の太陽電池パネル取付装置、取付金具の要部を拡大した概略説明図である。
【図１２】図１０の太陽電池パネル取付金具の側面図である。
【図１３】図１０の太陽電池パネル取付金具の側面図である。
【発明を実施するための形態】
【００２１】
以下添付図面を参照しつつ本発明の太陽電池パネル取付装置及び取付方法、並びに取付金具の実施形態について説明する。本発明に係る太陽電池パネル取付装置及び取付方法、並びに取付金具は、例えば、一般家屋、車庫、工場、公共施設等の構造物の屋根を構成している折板屋根上に太陽電池パネルを取り付けるのに適用される。図１ないし図５は、本発明の太陽電池パネル取付装置及び取付方法、並びに取付金具の一実施形態を示している。図１、図２に示すように、本実施形態において、太陽電池パネル取付装置１０は、折板屋根１２の山部１４に設けられた山部連結部１６と、太陽電池パネル１８の支持フレーム２０と、支持フレーム２０に設けられた複数の弾発嵌合部２２と、を備えている。
【００２２】
図１、図２に示すように、太陽電池パネル１８を取り付ける折板屋根１２は、山部１４と谷部１５とが交互に繰返し形成された公知の折板屋根である。本実施形態では、折板屋根１２は、例えば、梁材２４上に立設されたタイトフレーム２６に折板屋根材を上方から下方へ圧接嵌合することにより連結される公知の嵌合式の金属折板屋根からなる。タイトフレーム２６は折板屋根構造において梁材上に折板屋根材を固定するための固定用構造材であり、本実施形態では、逆Ｖ字状の支持脚部と、支持脚部上に形成されて屋根材が嵌合されるヘッド部と、を有している。折板屋根１２の各山部１４の上部には、折板屋根材とタイトフレーム２６とを連結する山部連結部１６が山部の一部を加工して形成されており、山部連結部１６の下面側にタイトフレーム２６のヘッド部が嵌合して連結される。山部連結部１６は、山部本体１４ａから山幅を狭める方向にくびれるくびれ部２８と、くびれ部２８から山幅を拡大する方向に膨出する膨出部３０と、を連続接続して山部１４の両側に該山部の長手方向に沿って備えている。山部連結部１６のくびれ部２８と膨出部３０とは曲線凹凸状に連続形成されており、図５にも示すように、くびれ部２８は、山部本体１４ａ両側の直線状の傾斜面部の上部側から斜め上方側に向けて略Ｕ字曲線状に凹設されて形成されている。膨出部３０は、両側のくびれ部２８から該くびれ部２８の曲線とは逆向きの曲線で両外側に向けて凸となる円弧湾曲状に膨出しながら上方側に向けて湾曲形成され頂部側で接続されている。山部連結部１６はくびれ部２８と膨出部３０との凹凸形状により、タイトフレーム２６のヘッド部に嵌合して固定される。なお、例えば、タイトフレーム２６に嵌合させた折板屋根材の山部連結部１６に、山部連結部の凹凸形状に対応した形状の固定用金具を上から嵌合させて、タイトフレームと折板屋根材との嵌合連結部分を高強度に固定することとしてもよい。
【００２３】
図１、図２に示すように、太陽電池パネル１８は、例えば、太陽電池セルを支持する基板が長方形状に形成され、その基板を矩形枠状に囲むように支持フレーム２０が設けられている。太陽電池パネル１８は、例えば、その短辺方向を折板屋根１２の隣接する２つの山部１４間に架設状に配置しつつ、長手方向を山部の長手方向に沿わせた状態で折板屋根上に取り付けられる。太陽電池パネル１８の短辺方向すなわち山部１４間の架設方向の長さは、折板屋根１２の山部１４の頂部間の離隔距離或いは折板屋根材の働き幅に対応した長さで形成されている。
【００２４】
図１、図２に示すように、弾発嵌合部２２は、太陽電池パネル１８の支持フレーム２０に複数設けられており、対向する山部１４の山部連結部１６に同時に係合しつつ太陽電池パネル１８の上方から下方への押圧操作のみで山部連結部１６を側方に押し付けるように弾発付勢しながら山部連結部１６に嵌合する弾発嵌合手段である。本実施形態では、隣接して対向する２つの山部１４の山部連結部１６に弾発的に嵌合する複数の弾発嵌合部２２が互いに協働することにより、太陽電池パネル１８を山部連結部１６に固定する。本実施形態では、例えば、４個の弾発嵌合部２２が矩形枠状の支持フレーム２０の各隅部近傍に下方に向けて突出状に設けられている。それぞれの弾発嵌合部２２は、太陽電池パネル１８の支持フレーム２０とは別の構成部材で設けられた弾発嵌合部材からなり、それらの弾発嵌合部材を支持フレーム２０に固着して一体的に取り付けられている。なお、弾発嵌合部の個数は、太陽電池パネルの大きさ等に応じて適宜設定されるとよい。
【００２５】
図３、図４にも示すように、弾発嵌合部２２は、太陽電池パネル１８の支持フレーム２０の下面側に密着固定する固定板部３２と、固定板部３２の一端から直角状に曲折して連接された脚板部３４と、脚板部３４に接続する側面視凹凸部３６と、を一体に形成した板状金具からなる。板状金具は、例えば、一枚のステンレス等のある程度高強度の金属製帯板部材を変形略５字状又は変形略Ｓ字状に折り曲げて固定板部３２と脚板部３４と側面視凹凸部３６との各構成要素を一体成形されている。この板状金具は、その金属素材の性質により板バネ状に弾性変形、形状復帰することにより山部連結部１６に弾発的に嵌合する弾発嵌合体であり、本実施形態に係る太陽電池パネル取付金具４０を構成している。
【００２６】
取付金具４０の固定板部３２は、太陽電池パネル１８の支持フレーム２０への固定部であり、例えば、溶接等の固定手段により支持フレーム２０の下面側に固定されている。なお、固定板部３２の支持フレーム２０への固定手段は、溶接に限らずボルト・ナット締結で固定してもよい。脚板部３４は、固定板部３２から直角Ｌ字状に曲設されて縦方向に延びており、取付け時に太陽電池パネル１８の下面と折板屋根１２との間にある程度の空隙を確保する。側面視凹凸部３６は、山部連結部１６の膨出部３０とくびれ部２８との曲線凹凸状に対応した凹凸形状で設けられた側面視曲線凹凸部からなる。側面視凹凸部３６は、山部連結部１６の右側面または左側面のいずれか片方の略半部側のみ、すなわち山部連結部１６の両側に形成された膨出部３０とくびれ部２８のうち一方側のみに弾発的に嵌合する。側面視凹凸部３６は、山部連結部１６の膨出部３０の膨出湾曲形状に対応しつつ頂部側からくびれ部２８側にかけて係着するように湾曲形成された第１湾曲板部３８と、くびれ部２８側に進出するように第１湾曲板部３８とは逆向きで略Ｖ字状に湾曲形成された第２湾曲板部３９と、が連続的に形成されて側面視逆て字状に湾曲凹凸形成されている。側面視凹凸部３６は、弾発嵌合状態ではその湾曲下端部分が膨出部３０下端からくびれ部２８側にかけてフック状に係止して取付金具の上方への抜け止め構成を実現する。第２湾曲板部３９の下面側４２は、山部連結部１６を受け入れる凹部側に向けて上り傾斜して形成されており、取付金具４０を山部連結部１６へ係着押圧させる際のガイドとして機能しうる。よって、側面視凹凸部３６は山部連結部に対して取付操作しやすく離脱しにくい構造となっている。さらに、側面視凹凸部３６は、脚板部３２の板面に対して固定板部３２と同じ側に配置されつつ、固定板部３２及び太陽電池パネル１８の直下位置に配置される。複数の取付金具４０を支持フレーム２０に固定した太陽電池パネル１８を上方から下方へ向けて押圧操作すると、折板部材１２の山部連結部１６の膨出部３０に各取付金具４０の下面４２が当たり、該取付金具の下面４２と山部連結部の膨出部３０の湾曲面とが係合しながら該取付金具が弾性変形し（図４の二点鎖線参照）、その後第１の湾曲板部３８と膨出部３０と当接すると金具自身の形状復元力により山部連結部１６を側方（図５の矢視方向Ｘ１、Ｘ２）に押し付けるように弾発付勢してそれぞれ山部連結部１６の側面に嵌合する。
【００２７】
図１、図２に示すように、１つの太陽電池パネル１８の支持フレーム２０に設けた４個の取付金具４０のうち、同一の山部連結部１６に嵌合する取付金具４０どうしは同じ向きで支持フレーム２０に固定されているが、対向する山部連結部１６に嵌合する取付金具４０どうしは、固定板部３２と脚板部３４とのＬ字曲折部Ｒでの直角内側を対向させるように互いに逆向きに配置されて支持フレーム２０に固定されている。すなわち、対向する山部連結部１６間で対向する取付金具４０どうしの側面視凹凸部３６は互いの湾曲凹凸部分が内向きに突出するような状態で配置されており、山部連結部１６を側方に押し付ける弾発付勢力の向きが互いに外向き逆方向（Ｘ１、Ｘ２）になっている。よって、対向する山部連結部１６の内側の膨出部とくびれ部に複数の取付金具４０が係合しつつ、内側から外向きに弾発付勢力を付加しながら嵌合する。したがって、図５に示すように、一つの太陽電池パネル１８に設けた複数の取付金具４０が係合した山部連結部１６において、該山部連結部１６の残りの略半部側部分に他の太陽電池パネル１８の取付金具４０と係合する膨出部３０とくびれ部２８が確保される。これにより、複数の太陽電池パネルを取り付ける際に、隣接する太陽電池パネル１８の取付金具４０どうしが邪魔になることがない。その結果、隣接する太陽電池パネル１８どうしを密着させた状態で並べて設置することができ、複数の太陽電池パネルを効率良く配置することができる。
【００２８】
なお、弾発嵌合部２２は、上述した板状金具で構成したものに限らず、太陽電池パネル１８の支持フレーム２０への固定部と、山部連結部の膨出部とくびれ部とに弾発的に嵌合する側面視凹凸部と、を一体的に形成した弾発嵌合体でもよい。弾発嵌合部２２は、複数の部材を組み合わせて固定部と側面視凹凸部を一体的に形成することとしてもよく、ブロック形状でもよい。また、弾発嵌合部２２は、太陽電池パネルの支持フレーム２０と一体的に成形してもよい。また、弾発嵌合部２２は、山部連結部１６への弾発嵌合状態を保持するように、ある程度強い力で山部連結部１６へ弾発付勢すると好適であり、弾発性と高強度、耐候性を同時に達成しうる金属製のものが有利である。なお、金属に限らず、合金や強化プラスチック樹脂等その他強度、耐候性の高い素材であれば任意でもよい。また、山部連結部１６のくびれ部２８と膨出部３０の凹凸形状は任意でもよく、弾発嵌合部２２の側面視凹凸部３６は、それらのくびれ部２８と膨出部３０の凹凸形状に対応して嵌合するような凹凸形状で形成される。
【００２９】
次に、本実施形態に係る太陽電池パネル取付装置１０、取付金具４０の作用、及び太陽電池パネル取付方法について説明する。まず、予め製造しておいた取付金具４０を１つの太陽電池パネル１８の支持フレーム２０に複数個、例えば４個取り付けて複数の弾発嵌合部２２を形成する。なお、取付金具の支持フレームへの取り付け作業は、施工現場近くの地上で行ってもよいし、製造工場等で支持フレーム２０に予め取り付けてもよい。図２に示すように、弾発嵌合部２２（取付金具４０）を設けた太陽電池パネル１８を折板屋根１２の山部１４間に架設させるように位置合わせした状態で、該太陽電池パネル１８を折板屋根１２の上方から下方へ押圧操作する。この際、４個の弾発嵌合部２２は、略同時に山部連結部に当たって一旦弾性変形した後、すぐに形状復帰してそれぞれ山部連結部１６を側方に押し付けるように弾発付勢しつつ山部連結部１６に嵌合される。これにより、極めて簡単に、低労力でしかも短時間に太陽電池パネルを折板屋根へ取り付けることができる。太陽電池パネルを取り付けた状態では複数の取付金具が協働しながら、山部連結部と互いに凹凸形状で弾発的に嵌合しているので、取り付け状態が強固に保持され、風が吹いたりしても簡単には離脱しにくい。必要な電力を得るために複数の太陽電池パネルを設置する費用がある場合には同様の作業を繰り返し行う。それぞれの太陽電池パネル１８では、取付金具４０を固定板部３２と脚板部３４との曲折部Ｒでの直角内側を対向させるように支持フレーム２０に固定しているので、図５に示すように、隣接して配置される太陽電池パネル１８の取付金具４０が互いに邪魔になることがない。したがって、隣接する太陽電池パネル１８を密着させた状態で配置させることができることから、範囲が限られる構造物の屋根上に複数の太陽電池パネルを効率良く並べて好適な太陽電池アレイを構成することができる。
【００３０】
次に、図６ないし図９を参照しつつ本発明に係る太陽電池パネル取付装置及び取付方法、並びに取付金具の第２の実施形態について説明する。第１実施形態と同一部材には同一符号を付しその詳細な説明は省略する。本実施形態では、太陽電池パネル取付装置１０ａは第１の実施形態とは折板屋根１２ａの山部連結部１６ａの構造及び取付金具４０ａの形状が異なっている。図６、図７に示すように、折板屋根１２ａは、例えば、梁材上に立設されたタイトフレームの吊子に（図示せず）、隣接して配置させた２枚の金属折板屋根材の端に形成されるハゼ部を重ねて係合しつつ、ハゼ部をハゼ締め付け加工して折板屋根材とタイトフレーム及び隣接する屋根材どうしを連結する公知のハゼ式の金属折板屋根からなる。すなわち、折板屋根１２ａの各山部１４の上部には、ハゼ締め付け加工により折り曲げられてタイトフレームと固定される丸型ハゼ部からなる山部連結部１６ａが形成されている。山部連結部１６ａは、くびれ部２８と膨出部３０とを連続接続して山部１４の両側に備えているとともに、くびれ部２８と膨出部３０とが曲線凹凸状に連続形成されているが、その凹凸形状が第１実施形態とは異なっている。本実施形態では、くびれ部２８は、各山部本体１４ａの両傾斜面の上部から水平方向に内向きに折り曲げられつつ山幅中間位置で上方に略直線状に立ち上がって形成されている。膨出部３０は、くびれ部２８の上端側から両外側に向けて円弧状に膨出拡大して形成されている。なお、各山部連結部１６ａの両側の膨出部３０の形状は端面視で略左右対称に形成されている。
【００３１】
取付金具４０ａは、固定板部３２と、脚板部３４と、側面視凹凸部３６とを一体成型した板状金具からなり、弾発嵌合部２２を構成している。本実施形態では、図８、図９にも示すように、側面視凹凸部３６は、丸型ハゼ部からなる山部連結部１６ａのくびれ部２８と膨出部３０との曲線凹凸形状に対応した側面視曲線凹凸部からなり、山部連結部１６ａに弾発的に嵌合する。すなわち、取付金具４０ａの側面視凹凸部３６は、第１の実施形態とは湾曲凹凸形状が異なっており、ハゼ式の折板屋根の丸型ハゼ部（山部連結部１６ａ）の外形輪郭形状に対応した湾曲凹凸形状となっている。
【００３２】
本実施形態においても、太陽電池パネル取付方法については第１実施形態と同じであり、取付金具４０ａを固定した太陽電池パネル１８を上方から下方へ押圧操作することにより取付金具４０ａを山部連結部１６ａに弾発嵌合させて取り付けられる。本実施形態に係る太陽電池パネル取付装置及び取付金具の作用効果も第１実施形態と同様の作用効果を奏し得る。
【００３３】
次に、図１０ないし図１３を参照しつつ本発明に係る第３の実施形態について説明する。第１、第２実施形態と同一部材には同一符号を付し、その詳細な説明は省略する。本実施形態では、太陽電池パネル取付装置１０ｂは第２実施形態と略同じ構成であるが、第２の実施形態とは折板屋根１２ｂの山部連結部１６ｂの構造及び取付金具４０ｂ、４０ｃの形状が異なっている。図１０、図１１に示すように、折板屋根１２ｂは、第２実施形態同様に公知のハゼ式の折板屋根からなるが、丸型ハゼ部すなわち山部連結部１６ｂの形状が異なっている。各山部連結部１６ｂの両側に形成されるくびれ部２８と膨出部３０の曲線凹凸形状は左右非対称に形成されており、図１１上、右側の膨出部３０１は曲率が大きい円弧湾曲形状に形成され、左側の膨出部３０２は曲率が小さい円弧湾曲形状に形成されている。したがって、対向した山部１４の山部連結部１６ｂの対向内側部分の凹凸形状は互いに異なって形成されている。
【００３４】
対向する山部連結間に対向する取付金具４０ｂ、４０ｃどうしでは、ハゼ部からなる山部連結部１６ｂの非左右対称な湾曲凹凸形状に対応してそれぞれ側面視凹凸部３６の凹凸形状が異なって形成されている。図１２にも示すように、山部連結部１６ｂの曲率が大きい膨出部３０１と係合する取付金具４０ｂの側面視凹凸部３６は、該膨出部３０１とくびれ部２８との曲線凹凸形状に対応した比較的曲率が大きな側面視曲線凹凸部からなり、膨出部３０１と嵌合する。一方、図１３にも示すように、山部連結部１６ｂの曲率が小さい膨出部３０２と係合する取付金具４０ｃの側面視凹凸部３６は、該膨出部３０２とくびれ部２８との曲線凹凸形状に対応した比較的曲率が小さな側面視曲線凹凸部からなり、膨出部３０２と嵌合するようになっている。
【００３５】
本実施形態においても、太陽電池パネル取付方法については第１、第２実施形態と同じであり、複数の取付金具４０ｂ、４０ｃを固定した太陽電池パネル１８を上方から下方へ押圧操作することにより取付金具を山部連結部１６ｂに弾発嵌合させて取り付けられる。本実施形態に係る太陽電池パネル取付装置及び取付金具の作用効果も第１、第２実施形態と同様の作用効果を奏し得る。
【００３６】
以上説明した本発明の太陽電池パネル取付装置及び取付方法、並びに取付金具は、上記した実施形態のみの構成に限定されるものではなく、特許請求の範囲に記載した本発明の本質を逸脱しない範囲において、任意の改変を行ってもよい。
【産業上の利用可能性】
【００３７】
本発明の太陽電池パネル取付装置及び取付方法、並びに取付金具は、太陽電池パネルを折板屋根に取り付ける際に適用できる。
【符号の説明】
【００３８】
１０    太陽電池パネル取付装置
１２、１２ａ、１２ｂ    折板屋根
１４    山部
１５    谷部
１６、１６ａ、１６ｂ    山部連結部
１８    太陽電池パネル
２０    支持フレーム
２２    弾発嵌合部
２８    くびれ部
３０    膨出部
３２    固定板部
３４    脚板部
３６    側面視凹凸部
４０、４０ａ、４０ｂ、４０ｃ    取付金具
【図１】
2011032646.tif 000003
【図２】
2011032646.tif 000004
【図３】
2011032646.tif 000005
【図４】
2011032646.tif 000006
【図５】
2011032646.tif 000007
【図６】
2011032646.tif 000008
【図７】
2011032646.tif 000009
【図８】
2011032646.tif 000010
【図９】
2011032646.tif 000011
【図１０】
2011032646.tif 000012
【図１１】
2011032646.tif 000013
【図１２】
2011032646.tif 000014
【図１３】
2011032646.tif 000015